(57)【特許請求の範囲】
【請求項１】
エレベータのカゴ室を構成するカゴ室壁とカゴ床とを締結することにより残る隙間から入り込む騒音を減らすエレベータ用カゴにおいて、
上記隙間から入り込む騒音を減衰する断面Ｔ字状横棒からなる騒音対策部品を備え、
上記騒音対策部品は、
上記カゴ室壁と上記カゴ床とを締結する締結部品に嵌め込まれるとともに切り欠きにより開口する穴が設けられる締結補強部と、
上記締結補強部から延びるとともに上記締結補強部より薄い隙間調整部と、
上記締結補強部および上記隙間調整部に対して直交する衝立部と、
が設けられることを特徴とするエレベータ用カゴ。
【請求項２】
上記衝立部がカゴ室外またはカゴ室内に配置されるように上記騒音対策部品を上記締結部品に嵌め込むことを特徴とする請求項１に記載のエレベータ用カゴ。
【請求項３】
上記締結部品はポップナットおよびボルトからなり、上記騒音対策部品を上記ポップナットのフランジに嵌め込むことを特徴とする請求項１または２に記載のエレベータ用カゴ。
【発明の詳細な説明】
【技術分野】
【０００１】
この発明は、室内への騒音を低減する騒音対策部品を装備したエレベータ用カゴに関するものである。
【背景技術】
【０００２】
現在のエレベータカゴ室には、換気や部材の組立て、据付け容易性を目的とした隙間が空いているが、近年では建物内の遮音性向上、及びエレベータの高速化が進んでおり、カゴ室内の静粛性が求められてきている。
エレベータが据え付けられた物件において騒音対策が必要となった場合は、騒音源の対策が原則であるが、機械室レスエレ等で昇降路が狭く対策できない場合には、カゴ室側での隙間を埋める或いは遮音性を向上させる対策が必要となる。
その対策を施したカゴは、カゴ床と、カゴ床縁部に配置されるカゴ室壁下部取付部と、カゴ室壁下部取付部上方に立設されるカゴ室壁と、カゴ室壁下部取付部及びカゴ室壁の下部を係合させる下部取付具と、カゴ室壁下部取付部及びカゴ室壁の下部が下部取付具により係合される際に協働して形成するラビリンス構造からなる通気経路とを備えた（例えば、特許文献１参照）。
【先行技術文献】
【特許文献】
【０００３】
【特許文献１】特開２００９−７０９３号公報
【発明の概要】
【発明が解決しようとする課題】
【０００４】
しかし、壁自体の構造を変更し、空気の流れを屈折させ、騒音の流入を抑制することは、既に据え付けられたエレベータでの適用は、壁や巾木を交換しなければならず、適用が困難である。
【０００５】
この発明は、前記のような課題を解決するためになされたものであり、既に据え付けられたエレベータに適用することのできる騒音対策部品を装備したエレベータ用カゴを得ることを目的とする。
【課題を解決するための手段】
【０００６】
この発明に係るエレベータ用カゴは、エレベータのカゴ室を構成するカゴ室壁とカゴ床とを締結することにより残る隙間から入り込む騒音を減らすエレベータ用カゴにおいて、上記隙間から入り込む騒音を減衰する断面Ｔ字状横棒からなる騒音対策部品を備え、上記騒音対策部品は、上記カゴ室壁と上記カゴ床とを締結する締結部品に嵌め込まれるとともに切り欠きにより開口する穴が設けられる締結補強部と、上記締結補強部から延びるとともに上記締結補強部より薄い隙間調整部と、上記締結補強部および上記隙間調整部に対して直交する衝立部と、が設けられる。
【発明の効果】
【０００７】
この発明に係るエレベータ用カゴは、既に据え付けられたエレベータの締結部品により締結されたカゴ室壁とカゴ床との間の隙間の内、騒音対策部品の締結補強部が挿入された部分以外では、断面Ｌ字状の隙間ができ、騒音が一旦外側面と衝立部との間に入り込み、さらに９０度方向を変換して下部突出部と隙間調整部との間に進むので、その間に騒音が減衰され、カゴ室内には強度の弱い騒音が達するという効果を奏する。
【図面の簡単な説明】
【０００８】
【図１】この発明の実施の形態１に係る騒音対策部品を取付けたエレベータ用カゴの断面図である。
【図２】この発明の実施の形態１に係る騒音対策部品の斜視図である。
【図３】騒音対策部品を隙間に取付ける前の様子を示す図である。
【図４】騒音対策部品をポップナットに締結した様子を示す図である。
【図５】この発明の実施の形態２に係る騒音対策部品を取付けたエレベータ用カゴの断面図である。
【発明を実施するための形態】
【０００９】
以下、本発明のエレベータのカゴの好適な実施の形態につき図面を用いて説明する。
実施の形態１．
図１は、この発明の実施の形態１に係る騒音対策部品を取付けたエレベータ用カゴの断面図である。
この発明の実施の形態１に係る騒音対策部品１０は、既に据え付けられたエレベータのカゴ室壁２とカゴ床４とを締結するための締結部品５により発生するカゴ室壁２とカゴ床４との隙間６に挿入される。
【００１０】
この発明の実施の形態１に係るエレベータ用カゴは、カゴ天井１、カゴ室壁２、カゴ床４、カゴ床４に取付けられる巾木３、巾木３をカゴ床４に取付けるための巾木取付部材１１、およびカゴ室壁２とカゴ床４とを締結する締結部品５、締結部品５により締結されたカゴ室壁２とカゴ床４との間に装備される騒音対策部品１０を備える。
カゴ天井１は、カゴ床４上方に配置されるユニットで構成され、その上面縁部が一段下げられ、カゴ室上部取付部１ａが構成されている。カゴ室上部取付部１ａには図示しない穴が空けられている。
【００１１】
カゴ室壁２は、複数のパネル形状体を組み合わせて形成される壁パネルで構成され、カゴ天井１のカゴ室上部取付部１ａおよびカゴ床４のカゴ室壁下部取付部４ｂの間に立設される。そして、カゴ室壁２の下部においては、カゴ室壁２のカゴ室側表面からなる意匠面の下端がカゴ室の外側へ水平方向に延びる下部突出部２ａおよび下部突出部２ａの外側端部から上方に延びる外側面２ｂが形成されている。この下部突出部２ａを貫通する複数の図示しない丸穴が形成されている。
【００１２】
カゴ床４は、その縁部に鉛直配置される巾木取付部４ａが立設されている。この巾木取付部４ａのカゴ室内側鉛直内面には、巾木取付部材１１が取付けられ、巾木取付部材１１に嵌合して巾木３が着脱自在に固定されている。また、これらの巾木取付部４ａ上端には、カゴ室の内側へ水平方向に延びるカゴ室壁下部取付部４ｂが設けられている。
【００１３】
締結部品５は、カゴ室壁２に固定されるポップナット１２と、ポップナット１２にネジ止めしてカゴ床４を締結するボルト１３と、を備える。そして、ポップナット１２のフランジ１２ａの厚さと同じ隙間６がカゴ室壁２とカゴ床４との間に存在する。
【００１４】
図２は、この発明の実施の形態１に係る騒音対策部品の斜視図である。
この発明の実施の形態１に係る騒音対策部品１０は、断面Ｔ字状の横棒に相当する部材であり、樹脂またはゴムなどの弾性体からなり、ポップナット１２のフランジ１２ａに嵌め込む丸穴２１および丸穴２１を外側に開口する切り込み２２が設けられる締結補強部１０ａと、締結補強部１０ａから拡がり隙間６を部分的に埋める隙間調整部１０ｂと、隙間調整部１０ｂに直交する衝立部１０ｃとから構成される。
締結補強部１０ａの厚さは、ポップナット１２に確実に締結できるように隙間６とほぼ同じである。
隙間調整部１０ｂの厚さは、換気のために空気が流れ易いように隙間６より小さい。
締結補強部１０ａの丸穴２１の中心から衝立部１０ｃまでの距離Ｌは、下部突出部２ａの丸穴の中心から外側面２ｂまでの距離より長い。
【００１５】
図３は、騒音対策部品１０を隙間６に取付ける前の様子を示す図である。図３（ａ）は、カゴ室壁２とカゴ床４との締結部分の横断面図である。図３（ｂ）は、図３（ａ）のＡ−Ａ断面から下方を見た図である。図４は、騒音対策部品１０をポップナット１２に締結した様子を示す図である。図４（ａ）は、カゴ室壁２とカゴ床４との締結部分の横断面図である。図４（ｂ）は、図４（ａ）のＡ−Ａ断面から下方を見た図である。
【００１６】
騒音対策部品１０をポップナット１２に締結するとき、切り込み２２を拡げながら切り込み２２をポップナット１２のフランジ１２ａに嵌めるように押し込むと、丸穴２１がフランジ１２ａに嵌められる。
このように騒音対策部品１０をポップナット１２に締結すると、カゴ室内とカゴ室外との間に、空気の流路となる断面Ｌ字状の隙間、すなわち下部突出部２ａと隙間調整部１０ｂとの間の隙間とその隙間に連なる外側面２ｂと衝立部１０ｃとの間の隙間８が設けられる。なお、カゴの構造上、隙間８にあたる段差は常に存在するので、騒音対策部品１０の締結補強部１０ａの厚さは同じである。
【００１７】
このように、既に据え付けられたエレベータの締結部品５により締結されたカゴ室壁２とカゴ床４との間の隙間６の内、騒音対策部品１０の締結補強部１０ａが挿入された部分以外では、断面Ｌ字状の隙間ができ、騒音が一旦外側面２ｂと衝立部１０ｃとの間に入り込み、さらに９０度方向を変換して下部突出部２ａと隙間調整部１０ｂとの間に進むので、その間に騒音が減衰され、カゴ室内には強度の弱い騒音が達する。
また、断面Ｌ字状の隙間でカゴ室の内外が通じているので、常に換気ができる。そして、締結補強部１０ａの位置を変えたり、隙間調整部１０ｂの厚さを変えたり、衝立部１０ｃの幅を変えたりすることによりカゴ室内に必要な換気量に換気量を調整することができる。
【００１８】
また、騒音対策部品１０を据え付けるとき、切り欠き２２を拡げて押し込むことにより、ポップナット１２のフランジ１２ａに嵌め込むことができるので、据付のための工具を必要としない。
【００１９】
実施の形態２．
図５は、この発明の実施の形態２に係る騒音対策部品を取付けたエレベータ用カゴの断面図である。
この発明の実施の形態２に係るエレベータ用カゴは、この発明の実施の形態１に係るエレベータ用カゴと騒音対策部品１０の取付ける位置が異なり、それ以外は同様であるので、同様な部分に同じ符号を付記し説明を省略する。
この発明の実施の形態２に係るエレベータ用カゴでは、図５に示すように、衝立部１０ｃがカゴ室内に向くように、締結補強部１０ａをカゴ室壁２の下部突出部２ａとカゴ床４との間の隙間６に、丸穴２１がポップナット１２のフランジ１２ａに嵌め込むように、カゴ室内から挿入する。
また、締結補強部１０ａと隙間調整部１０ｂとを裏返しにして嵌め込む。
騒音対策部品１０の衝立部１０ｃのカゴ室内に向く面は意匠が施されている。
【００２０】
このように、既に据え付けられたエレベータの締結部品５により締結されたカゴ室壁２とカゴ床４との間の隙間６の内、騒音対策部品１０の締結補強部１０ａが挿入された部分以外では、断面Ｌ字状の隙間ができ、騒音が一旦下部突出部２ａと隙間調整部１０ｂとの間に入り込み、さらに巾木３と衝立部１０ｃとの間に進んでからカゴ室内に伝播するので、その間に騒音が減衰され、カゴ室内には強度の弱い騒音が達する。
【００２１】
また、断面Ｌ字状の隙間でカゴ室の内外が通じているので、常に換気ができる。そして、締結補強部１０ａの位置を変えたり、隙間調整部１０ｂの厚さを変えたり、衝立部１０ｃの幅を変えたりすることによりカゴ室内に必要な換気量に換気量を調整することができる。
また、衝立部１０ｃのカゴ室内に向く面に意匠が施されているので、衝立部１０ｃを意匠上のアクセントとして活用することができる。
【符号の説明】
【００２２】
１  カゴ天井、１ａ  カゴ室上部取付部、２  カゴ室壁、２ａ  下部突出部、２ｂ  外側面、３  巾木、４  カゴ床、４ａ  巾木取付部、４ｂ  カゴ室壁下部取付部、５  締結部品、６  隙間、８  隙間、１０  騒音対策部品、１０ａ  締結補強部、１０ｂ  隙間調整部、１０ｃ  衝立部、１１  巾木取付部材、１２  ポップナット、１２ａ  フランジ、１３  ボルト、２１  丸穴、２２  切り欠き。
【図１】
0005586258.tif 000002
【図２】
0005586258.tif 000003
【図３】
0005586258.tif 000004
【図４】
0005586258.tif 000005
【図５】
0005586258.tif 000006